(57)【要約】      （修正有）【課題】ゴミ用の水切り袋を提供する。【解決手段】袋体１０と袋口部に設けられている締付部材１１とを含み、袋体１０の袋底部１２は、網状に設けられ、または複数の貫通孔を有して設けられ、または透水可能材料からなる。本考案のゴミ用の水切り袋は袋口部に締付部材１１を設けることにより、袋口部がバスケットに附着されて、水流または他の作用によって、ゴミ用の水切り袋が変位しない。【選択図】図１
0003213082.tif 000002
【実用新案登録請求の範囲】
【請求項１】
ゴミ用の水切り袋であって、袋体（１０）と、袋口部に設けられている締付部材（１１）と、を含み、前記袋体（１０）の袋底部（１２）は、網状に設けられ、または複数の貫通孔を有して設けられ、または透水可能材料からなる、ことを特徴とするゴミ用の水切り袋。
【請求項２】
前記締付部材（１１）はゴムバンドである、ことを特徴とする請求項１に記載のゴミ用の水切り袋。
【請求項３】
前記袋口部には管状体（１３）が設けられ、該管状体（１３）には切り口（１４）が設けられており、前記ゴムバンドは環状を成して、管状体（１３）内を貫通する、ことを特徴とする請求項２に記載のゴミ用の水切り袋。
【請求項４】
前記締付部材（１１）は、袋口部に設けられている管状体（１３）と紐を有し、前記管状体（１３）には切り口（１４）が設けられ、紐は前記管状体（１３）内を貫通する、ことを特徴とする請求項１に記載のゴミ用の水切り袋。
【請求項５】
前記管状体（１３）には２つの切り口（１４）が対向して設けられ、前記管状体（１３）内には２つの環状紐が設けられている、ことを特徴とする請求項４に記載のゴミ用の水切り袋。
【考案の詳細な説明】
【技術分野】
【０００１】
本考案は日常生活用品に関し、特にゴミ用の水切り袋に関する。
【背景技術】
【０００２】
現在、常用の排水口用のバスケットに設置されるゴミ用の水切り袋の袋口部は開放されているため、常に水流または他の作用によって、ゴミ用の水切り袋が変位されて、排水口をカバーできなくなって、常に袋口部または袋体の位置を調整する必要があるので、非常に面倒である。
【考案の概要】
【考案が解決しようとする課題】
【０００３】
本考案の目的は上述の１つ以上の問題を解決するために、ゴミ用の水切り袋を提供することである。
【課題を解決するための手段】
【０００４】
本考案の提供するゴミ用の水切り袋は、袋体と袋口部に設けられている締付部材とを含み、袋体の袋底部は、網状に設けられ、または複数の貫通孔を有して設けられ、または透水可能材料からなる。
【０００５】
本考案のゴミ用の水切り袋において、袋口部には締付部材が設けられている。そのため、該締付部材により袋口部がバスケットに附着されて、水流または他の作用によってゴミ用の水切り袋が変位しない。
【０００６】
いくつかの実施形態で、本考案の締付部材はゴムバンドである。袋口部にはゴムバンドが設けられて、袋口部をバスケットの外周縁に固定するため、水流または他の作用によってゴミ用の水切り袋が変位しない。
【０００７】
いくつかの実施形態で、本考案における袋口部には管状体が設けられ、管状体には切り口が設けられている。ゴムバンドは環状になって、管状体内を貫通する。ゴムバンドにより袋口部をバスケットの外周縁に固定するため、水流または他の作用によってゴミ用の水切り袋が変位しない。ゴミ用の水切り袋にゴミが充満された場合、ゴミ用の水切り袋をバスケットから取出して、管状体に設けられている切り口からゴムバンドを引張ると、ゴミ用の水切り袋の袋口部が封止されて、ゴミが外部へ漏れ出ることを防ぐ。
【０００８】
いくつかの実施形態で、本考案の締付部材は、袋口部に設けられている管状体と紐を含む。管状体には切り口が設けられ、紐は管状体内を貫通する。袋口部の管状体内には紐が設けられて、ゴミ用の水切り袋の袋口部をバスケットに固定することができ、またはゴミ用の水切り袋内にゴミが充満されたとき、バスケットからゴミ用の水切り袋を取出して、紐で袋口部を結束することにより、ゴミが外部に漏れ出ることを防ぐ。
【０００９】
いくつかの実施形態で、本考案の管状体には２つの切り口が対向して設けられ、管状体内には２つの環状紐が設けられている。ゴミ用の水切り袋にゴミが充満されたとき、バスケット上からゴミ用の水切り袋を取出した後、管状体に対向して設けられている２つの切り口から反対方向に向かってそれぞれ紐を引張ると、袋口部が封止されて、ゴミが外部に漏れ出ることを防ぐ。
【図面の簡単な説明】
【００１０】
【図１】図１は、本考案の第１実施形態におけるゴミ用の水切り袋の構造を示す図である。
【図２】図２は、本考案の第２実施形態のゴミ用の水切り袋の構造を示す図である。
【図３】図３は、本考案の第３実施形態のゴミ用の水切り袋の構造を示す図である。
【図４】図４は、本考案の第４実施形態のゴミ用の水切り袋の構造を示す図である。
【図５】図５は、本考案の第５実施形態のゴミ用の水切り袋の構造を示す図である。
【考案を実施するための形態】
【００１１】
下記では図面を用いて本考案について更に詳細に説明する。
【００１２】
図１は、本考案の第１実施形態におけるゴミ用の水切り袋の構造を示す図である。
【００１３】
図１に示すように、該ゴミ用の水切り袋は、袋体１０と袋口部に設けられている締付部材１１とを含む。袋体１０の袋底部１２は、網状に設けられ、または複数の貫通孔を有して設けられ、または透水可能材料からなる。これにより、液体は透過するが、固体は透過しない。
【００１４】
ゴミ用の水切り袋の袋体１０と袋底部１２の材質は、不織布またはメッシュ布等の、液体は透過するが、固体は透過しない材料からなる。好ましくは、不織布を採用することにより、固形ゴミの透過を更に細かくすることができる。
【００１５】
本考案のゴミ用の水切り袋において、袋口部には締付部材１１が設けられることにより、袋口部がバスケットに附着されて、水流または他の作用によってゴミ用の水切り袋が変位しない。
【００１６】
本実施例において、締付部材１１はゴムバンドである。袋口部にゴムバンドを設けることにより、袋口部をバスケットの外周縁に固定することができる。他の実施例において、締付部材１１は紐、スナップフィット等の他の部材であってもよい。
【００１７】
図２は、本考案の第２実施形態のゴミ用の水切り袋の構造を示す図である。
【００１８】
図２に示すように、該ゴミ用の水切り袋の袋口部には管状体１３が設けられ、管状体１３には切り口１４が設けられている。ゴムバンドは環状を成して、管状体１３内を貫通する。ゴミ用の水切り袋にゴミが充満された場合、ゴミ用の水切り袋をバスケットから取出して、管状体に設けられている切り口１４からゴムバンドを引張ると、ゴミ用の水切り袋の袋口部が封止されて、ゴミが外部へ漏れ出ることを防ぐ。
【００１９】
図３は、本考案の第３実施形態のゴミ用の水切り袋の構造を示す図である。
【００２０】
図３に示すように、該ゴミ用の水切り袋の締付部材１１は、管状体１３と紐１５を含む。袋口部には管状体１３が設けられ、管状体１３には切り口１４が設けられている。管状体１３内には紐１５が貫通されている。袋口部の管状体１３内には紐１５が設けられて、紐１５を用いてゴミ用の水切り袋の袋口部をバスケットに固定することができ、またはゴミ用の水切り袋内にゴミが充満されたとき、バスケットからゴミ用の水切り袋を取出して、紐１５で袋口部を結束することにより、ゴミが外部に漏れ出ることを防ぐ。
【００２１】
図４は、本考案の第４実施形態のゴミ用の水切り袋の構造を示す図である。
【００２２】
図４に示すように、該ゴミ用の水切り袋の袋口部の管状体１３には２つの切り口１４が対向して設けられ、管状体１３内には１つの環状紐が貫通されている。ゴミ用の水切り袋にゴミが充満されて、バスケットからゴミ用の水切り袋を取出した後、管状体に対向して設けられている２つの切り口から紐１５のいずれかの部位を引き出して、袋口部を結束することにより、ゴミが外部に漏れ出ることを防ぐ。
【００２３】
図５は、本考案の第５実施形態のゴミ用の水切り袋の構造を示す図である。
【００２４】
図５に示すように、該ゴミ用の水切り袋の袋口部１１の管状体１３内には２つの環状紐１５が設けられている。ゴミ用の水切り袋にゴミが充満されたとき、バスケット上からゴミ用の水切り袋を取出した後、管状体に対向して設けられている２つの切り口から反対方向に向かってそれぞれ紐１５を引張ると、袋口部が封止されて、ゴミが外部に漏れ出ることを防ぐ。
【００２５】
ゴミ用の水切り袋の袋体１０と袋底部１２の材質は、プラスチック、不織布または紙等であってもよく、好ましくは、生分解性材料である。
【００２６】
図１または図２に示すように、ゴミ用の水切り袋の袋体１０と袋底部１２は一体成形されてもよく、図３乃至図５に示すように、異なる材料により接合して形成されてもよい。
【００２７】
上述は本考案のいくつかの実施形態のみであり、本考案の構造を限定するものではない。当業者におって、本考案の創造構想から離れない前提で、いくつかの変形と改善を行うことができるが、これらも本考案の保護範囲に属するべきである。
【図１】
0003213082.tif 000003
【図２】
0003213082.tif 000004
【図３】
0003213082.tif 000005
【図４】
0003213082.tif 000006
【図５】
0003213082.tif 000007